(57)【要約】【課題】押棒の動作が妨げられる事態を抑制する。【解決手段】板状の扉本体２１と、筐体１１に設けられたラッチ受け１２に係止するラッチ３４と、扉本体２１の庫内側の面に設けられた係止解除装置５０と、を備え、係止解除装置５０は、扉本体２１に設けられた係止解除部３３を庫内側から押圧することでラッチ受け１２に対するラッチ３４の係止を解除することが可能な庫内外方向に長い押棒５１と、扉本体２１に貫通された貫通孔２１Ａに対して挿入される庫内側筒部７０と、を備え、庫内側筒部７０は、庫内側に開口する凹部７１と、凹部７１の底部７１Ａに形成され、押棒５１を庫内外方向に進退可能に保持する保持孔７２と、を有し、保持孔７２は、押棒５１の外周面に接触する接触面７２Ａを有し、底部７１Ａ及び接触面７２Ａが扉本体２１における庫内側の面２１Ｂよりも庫外側に配されていることに特徴を有する。【選択図】図４
2018066495.tif 000002
【特許請求の範囲】
【請求項１】
貯蔵室を有する筐体に取り付けられ、前記貯蔵室を開閉可能な冷却貯蔵庫の扉であって、
板状の扉本体と、
前記扉本体の庫外側の面に設けられ、前記筐体に設けられたラッチ受けに係止するラッチと、
前記扉本体の庫内側の面に設けられた係止解除装置と、を備え、
前記係止解除装置は、
前記扉本体に設けられた係止解除部を庫内側から押圧することで前記ラッチ受けに対する前記ラッチの係止を解除することが可能な庫内外方向に長い押棒と、
前記扉本体に貫通された貫通孔に対して挿入される筒部と、を備え、
前記筒部は、
庫内側に開口する凹部と、
前記凹部の底部に形成され、前記押棒を庫内外方向に進退可能に保持する保持孔と、を有し、
前記保持孔は、前記押棒の外周面に接触する接触面を有し、
前記底部及び前記接触面が前記扉本体における庫内側の面よりも庫外側に配されている冷却貯蔵庫の扉。
【請求項２】
前記凹部の内周面は、
庫外側に向かうにつれて前記押棒に接近する形で傾斜する第１傾斜面と、
前記第１傾斜面の庫外側端部から庫外側に延び、庫外側に向かうにつれて前記押棒に接近する形で傾斜する第２傾斜面と、を有し、
前記第１傾斜面は、前記第２傾斜面よりも前記押棒の軸線に対する傾斜角度が大きいものとされる請求項１に記載の冷却貯蔵庫の扉。
【請求項３】
前記筒部の外周面に設けられ、前記扉本体の庫内側の面に対して庫内側から当接するフランジ部を備え、
前記筒部の前記外周面において、前記フランジ部よりも庫内側の箇所には、前記筒部の周方向の全周に亘って延びる溝部が形成されている請求項１又は請求項２に記載の冷却貯蔵庫の扉。
【請求項４】
前記筒部と前記フランジ部は互いに一体的に設けられると共に合成樹脂製とされ、
前記溝部は、断面視において、互いに正接する第１円弧及び第２円弧によって構成されており、
前記第１円弧は、前記筒部の径方向外側に開口する形状をなすと共に前記溝部の底部を構成するものとされ、
前記第２円弧は、前記筒部の径方向内側に開口する形状をなすと共に庫外側の端部において前記第１円弧における庫内側の端部と繋がることで、前記溝部における庫内側の内面を有する突起部を構成するものとされ、
前記溝部の前記底部を基準とした前記突起部の突出高さは、０．５ｍｍ以上１．０ｍｍ以下で設定されている請求項３に記載の冷却貯蔵庫の扉。
【発明の詳細な説明】
【技術分野】
【０００１】
本発明は、冷却貯蔵庫の扉に関する。
【背景技術】
【０００２】
従来、冷却貯蔵庫の扉を庫内側から解錠するための解錠装置として、筒体（案内筒体）と押棒（操作棒）とを備えるものが知られている（下記特許文献１）。
【先行技術文献】
【特許文献】
【０００３】
【特許文献１】実開昭６２−１３１０６７号公報
【発明の概要】
【発明が解決しようとする課題】
【０００４】
冷却貯蔵庫では、扉を開閉した際に、庫内に比べて高温高湿の外気が、扉の庫内側の面に触れて冷やされることで、扉の庫内側の面に結露が発生することがある。結露によって発生した結露水が、筒体の内部に侵入し、押棒と筒体の間で凍結すると、筒体に対する押棒の摺動性が低下する。これにより、凍結した結露水によって押棒の動作が妨げられてしまう結果、作業者は、より高い押圧力で押棒を操作する必要が生じる。
【０００５】
本発明は上記のような事情に基づいて完成されたものであって、押棒の動作が妨げられる事態を抑制することが可能な冷却貯蔵庫の扉を提供することを目的とする。
【課題を解決するための手段】
【０００６】
上記課題を解決するために、本発明の冷却貯蔵庫の扉は、貯蔵室を有する筐体に取り付けられ、前記貯蔵室を開閉可能な冷却貯蔵庫の扉であって、板状の扉本体と、前記扉本体の庫外側の面に設けられ、前記筐体に設けられたラッチ受けに係止するラッチと、前記扉本体の庫内側の面に設けられた係止解除装置と、を備え、前記係止解除装置は、前記扉本体に設けられた係止解除部を庫内側から押圧することで前記ラッチ受けに対する前記ラッチの係止を解除することが可能な庫内外方向に長い押棒と、前記扉本体に貫通された貫通孔に対して挿入される筒部と、を備え、前記筒部は、庫内側に開口する凹部と、前記凹部の底部に形成され、前記押棒を庫内外方向に進退可能に保持する保持孔と、を有し、前記保持孔は、前記押棒の外周面に接触する接触面を有し、前記底部及び前記接触面が前記扉本体における庫内側の面よりも庫外側に配されていることに特徴を有する。
【０００７】
上記構成では、押棒の外周面に接触する接触面を有する保持孔が凹部の底部に設けられ、底部及び接触面が扉本体における庫内側の面よりも庫外側に配されている。このような構成とすれば、凹部を有していない構成と比べて、接触面をより庫外側に配することができ、庫内側の面から遠ざけることができる。この結果、扉本体における庫内側の面に結露が発生し、結露水が凹部内に侵入した場合であっても、その結露水が接触面に到達する事態を抑制できる。これにより、結露水が接触面と押棒の間で凍結し、押棒の進退を妨げる事態を抑制することができる。
【０００８】
また、前記凹部の内周面は、庫外側に向かうにつれて前記押棒に接近する形で傾斜する第１傾斜面と、前記第１傾斜面の庫外側端部から庫外側に延び、庫外側に向かうにつれて前記押棒に接近する形で傾斜する第２傾斜面と、を有し、前記第１傾斜面は、前記第２傾斜面よりも前記押棒の軸線に対する傾斜角度が大きいものとすることができる。
【０００９】
扉本体における庫内側の面において係止解除装置の上方で結露が生じ、その結露水が凹部内に侵入した場合、結露水は、第１傾斜面を伝って流下し、第２傾斜面に向かう。ここで、第１傾斜面は、第２傾斜面よりも押棒の軸線に対する傾斜角度が大きい値で設定されている。このため、第１傾斜面を伝う結露水が第２傾斜面に伝わる事態を抑制することができる。
【００１０】
また、前記筒部の外周面に設けられ、前記扉本体の庫内側の面に対して庫内側から当接するフランジ部を備え、前記筒部の前記外周面において、前記フランジ部よりも庫内側の箇所には、前記筒部の周方向の全周に亘って延びる溝部が形成されているものとすることができる。
【００１１】
係止解除装置の上方で結露が生じ、その結露水がフランジ部の表面を伝って流下した場合、結露水は溝部に侵入する。溝部は筒部の周方向の全周に亘って延びることから、溝部に侵入した結露水は、筒部の上面から下面に向かって流れ、下面に達した時点で落下する。このような溝部を設けることで、結露水が凹部の開口に向かう事態を抑制でき、結露水が凹部内に侵入する事態や押棒に落下する事態を抑制することができる。
【００１２】
また、前記筒部と前記フランジ部は互いに一体的に設けられると共に合成樹脂製とされ、前記溝部は、断面視において、互いに正接する第１円弧及び第２円弧によって構成されており、前記第１円弧は、前記筒部の径方向外側に開口する形状をなすと共に前記溝部の底部を構成するものとされ、前記第２円弧は、前記筒部の径方向内側に開口する形状をなすと共に庫外側の端部において前記第１円弧における庫内側の端部と繋がることで、前記溝部における庫内側の内面を有する突起部を構成するものとされ、前記溝部の前記底部を基準とした前記突起部の突出高さは、０．５ｍｍ以上１．０ｍｍ以下で設定されているものとすることができる。
【００１３】
仮に、筒部及びフランジ部を成形型によって成形する際には、成形型の型抜き方向を庫内外方向に沿うように設計することが好ましい。これにより、凹部の開口方向や保持孔の貫通方向と型抜き方向を一致させることができる。しかしながら、型抜き方向を庫内外方向にした場合、溝部を構成する突起部はアンダーカット部となる。そこで、溝部を互いに正接する第１円弧及び第２円弧によって構成すると共に、溝部の底部を基準とした突起部の突出高さを１．０ｍｍ以下にした。これにより、突起部のアンダーカット面（溝部における庫内側の内面）を成形型の型抜き方向により近づけることができ、突起部を弾性変形させて型抜きを行うことが可能となる。言い換えると、溝部を形成するためにスライド型を用いる必要がなく、製造に係るコストを低減することができる。また、突起部の突出高さを０．５ｍｍ以上とすれば、結露水が突起部を乗り越えて凹部の開口に向かう事態を抑制することができる。
【発明の効果】
【００１４】
本発明によれば、押棒の動作が妨げられる事態を抑制することができる。
【図面の簡単な説明】
【００１５】
【図１】本発明の一実施形態に係るプレハブ式冷蔵庫の外観斜視図
【図２】係止解除装置を庫内側から視た斜視図
【図３】扉の横断面図（図１のＩＩＩ−ＩＩＩ線で切断した図に対応）
【図４】扉の縦断面図（図３のＩＶ−ＩＶ線で切断した図に対応）
【図５】図４において溝部付近を示す拡大図
【図６】係止解除装置の比較例を示す断面図
【図７】溝部の比較例を示す断面図
【発明を実施するための形態】
【００１６】
本発明の一実施形態を図１から図７によって説明する。本実施形態では、冷却貯蔵庫としてプレハブ式冷蔵庫を例示する。プレハブ式冷蔵庫１０は、複数の断熱パネルを組み付けることで箱形に形成された筐体１１（冷蔵庫本体）と、筐体１１に取り付けられた扉２０と、を備える。図１に示すように、断熱パネルとしては、例えば、筐体１１の天井を構成するルーフパネル１５Ａ，１５Ｂ、筐体１１の底部を構成するベースパネル１６、筐体１１の側壁を構成するサイドパネル１７、平面視（上方から視た状態）における外周壁の角部を構成するコーナーパネル１９などを例示することができる。なお、筐体１１を構成する断熱パネルの使用枚数や配置態様は、図１で例示したものに限定されず適宜変更可能であり、断熱パネルの枚数や配置態様を変更することで、様々な大きさの冷蔵庫本体を構成することが可能である。
【００１７】
筐体１１の内部には、図３に示すように、貯蔵室１１Ａが形成され、筐体１１の前面壁には、貯蔵室１１Ａへの出入口となる開口部１１Ｂが形成されている。開口部１１Ｂ（ひいては貯蔵室１１Ａ）は扉２０によって開閉可能となっている。扉２０は、図３に示すように、板状の扉本体２１と、扉本体２１における庫外側の面に設けられたラッチレバー３０と、係止解除装置５０と、を備える。
【００１８】
扉本体２１は、外殻を構成するパネル部材２２，２３の間に発泡樹脂等の断熱材２４が充填されることで構成されている。ラッチレバー３０は、パネル部材２２に固定される箱状の本体部３１と、本体部３１に対して回動可能に取り付けられる操作レバー３２と、本体部３１内に収容される係止解除部３３と、ラッチ３４と、係止解除部３３とラッチ３４とを連結するアーム部３５と、を備える。筐体１１のうち開口部１１Ｂの開口縁には、ラッチ受け１２が設けられている。ラッチ３４は、本体部３１からラッチ受け１２に向けて突出する構成となっており、図３の左右方向に進退可能に取り付けられている。
【００１９】
ラッチ３４がラッチ受け１２の先端部に対して庫内側（図３の上側）から係止することで、扉２０がロックされる構成となっている。係止解除部３３は、回動軸３３Ａを中心として回動可能となっている。係止解除部３３には、操作レバー３２に設けられたピン３６が嵌合された孔部３３Ｂと、アーム部３５に設けられたピン３７が嵌合された孔部３３Ｃが形成されている。作業者が操作レバー３２を手前に回動させることで、操作レバー３２に設けられたピン３６を介して、係止解除部３３が図３の時計回りに回動する。係止解除部３３が回動することで、ピン３７及びアーム部３５を介してラッチ３４が図３の右側に引っ張られ、本体部３１内部に引き込まれる。これにより、ラッチ受け１２に対するラッチ３４の係止が解除される構成となっている。
【００２０】
また、係止解除部３３は、係止解除装置５０の押棒５１（後述）に庫内側から押圧されることで回動する構成となっている。なお、ラッチ受け１２は、図３に示すように、ハンドル１３が設けられたネジ１４によって固定されている。これにより、作業者は、庫内側からハンドル１３を回動させることで、ラッチ受け１２を筐体１１から取り外すことができ、扉２０のロックを解除することができる。
【００２１】
係止解除装置５０（安全押棒）は、扉本体２１の庫内側の面に設けられ、作業者が庫内側からラッチ受け１２に対するラッチ３４の係止を解除するために用いられる。係止解除装置５０は、図４に示すように、押棒５１と、扉本体２１に貫通された貫通孔２１Ａに挿通される外周側筒部６０と、外周側筒部６０内に収容される庫外側筒部６１と、庫外側筒部６１に対して庫内側に配される庫内側筒部７０（筒部）と、フランジ部８０と、を備える。押棒５１は、庫内外方向（図４の左右）に長い形状をなしており、庫内側（図４の左側）の端部には、操作用ノブ５２が取り付けられている。また、図３に示すように、押棒５１における庫外側（図３の下側）の端部は、パネル部材２２から庫外側に突出され、ラッチレバー３０の本体部３１内に配されている。押棒５１の庫外側の端部は、係止解除部３３に対して庫内側から当接（又は近接）する形で配されている。
【００２２】
庫内側筒部７０は、外周側筒部６０の貫通孔６０Ａ（ひいては貫通孔２１Ａ）に対して庫内側から挿入されている。庫内側筒部７０は、庫内側に開口する凹部７１と、凹部７１の底部７１Ａに形成され、押棒５１を庫内外方向に進退可能に保持する保持孔７２と、を有している。図４に示すように、押棒５１は、庫内側から凹部７１、保持孔７２、庫外側筒部６１の貫通孔６１Ａの順番で挿通されている。保持孔７２は、庫内外方向に貫通されており、押棒５１の外周面に接触する接触面７２Ａを有している。つまり、凹部７１の底部７１Ａ及び接触面７２Ａは扉本体２１における庫内側の面２１Ｂよりも庫外側（図４の右側）に配されている。
【００２３】
これにより、作業者が庫内側から、操作用ノブ５２を押圧することで、押棒５１を庫外側に変位させることができ、押棒５１の先端部によって係止解除部３３を庫内側から押圧することでラッチ受け１２に対するラッチ３４の係止を解除することが可能な構成となっている。また、押棒５１には、ばね５３が巻回されている。ばね５３は、凹部７１の底面と操作用ノブ５２の間に介在されており、操作用ノブ５２が庫内側から押圧され、庫内側に変位した押棒５１を初期位置（図４に示す位置）に復帰させる機能を有している。
【００２４】
凹部７１の内周面は、庫外側に向かうにつれて押棒５１（言い換えると庫内側筒部７０の中心軸Ｌ１）に接近する形で傾斜する第１傾斜面７１Ｂと、第１傾斜面７１Ｂの庫外側端部から庫外側に延び、庫外側に向かうにつれて押棒５１に接近する形で傾斜する第２傾斜面７１Ｃと、を有している。また、図５に示すように、押棒５１の軸線（庫内外方向に沿う軸線）に対する第１傾斜面７１Ｂの傾斜角度Ｂ１は、押棒５１の軸線（中心軸Ｌ１と同軸）に対する第２傾斜面７１Ｃの傾斜角度Ｃ１よりも大きい値で設定されている。また、庫内側筒部７０は、図４に示すように、庫外側に開口された凹部７５を有しており、凹部７５には庫外側筒部６１が挿入されている。庫外側筒部６１と凹部７５の内面の間にはＯリング７５Ａが介在されている。
【００２５】
フランジ部８０は、図２及び図４に示すように、庫内側筒部７０の外周面に設けられた円環状をなしている。フランジ部８０は、扉本体２１の庫内側の面２１Ｂに対して庫内側から当接し、締結部材８１（ボルトなど、図２参照）によって扉本体２１に固定される。また、庫内側筒部７０とフランジ部８０は互いに一体的に設けられると共に合成樹脂製とされる。また、図５に示すように、庫内側筒部７０の外周面において、フランジ部８０よりも庫内側の箇所には、庫内側筒部７０の周方向の全周に亘って延びる溝部７３が形成されている。
【００２６】
溝部７３は、図５に示すように、断面視において、互いに正接する第１円弧７３Ａ及び第２円弧７３Ｂによって構成されている。第１円弧７３Ａは、庫内側筒部７０の径方向外側（図５では上側）に開口する形状をなすと共に溝部７３の底部を構成するものとされる。これに対して、第２円弧７３Ｂは、庫内側筒部７０の径方向内側（図５では下側）に開口する形状をなしている。第２円弧７３Ｂは、庫外側の端部において第１円弧７３Ａにおける庫内側の端部７７に繋がることで、溝部７３における庫内側の内面を有する突起部７４を構成するものとされる。溝部７３の底部（溝部の最も深い箇所）を基準とした突起部７４の突出高さＨ１（溝部７３の深さ）は、例えば、０．５ｍｍ以上１．０ｍｍ以下で設定されている。なお、ここで言う正接とは、第１円弧７３Ａを構成する円と、第２円弧７３Ｂを構成する円とが１点のみで接することである。
【００２７】
次に本実施形態の効果について説明する。本実施形態によれば、押棒５１の外周面に接触する接触面７２Ａを有する保持孔７２が凹部７１の底部７１Ａに設けられ、底部７１Ａ及び接触面７２Ａが扉本体２１における庫内側の面２１Ｂよりも庫外側（扉本体２１の内部）に配されている。このような構成とすれば、凹部７１を有していない構成と比べて、接触面７２Ａをより庫外側に配することができ、庫内側の面２１Ｂから遠ざけることができる。この結果、扉本体２１における庫内側の面２１Ｂに結露が発生し、結露水が凹部７１内に侵入した場合であっても、その結露水が接触面７２Ａに到達する事態を抑制できる。これにより、結露水が接触面７２Ａと押棒５１の間で凍結し、押棒５１の進退を妨げる事態を抑制することができる。
【００２８】
また、凹部７１の内周面は、庫外側に向かうにつれて押棒５１に接近する形で傾斜する第１傾斜面７１Ｂと、第１傾斜面７１Ｂの庫外側端部から庫外側に延び、庫外側に向かうにつれて押棒５１に接近する形で傾斜する第２傾斜面７１Ｃと、を有し、第１傾斜面７１Ｂは、第２傾斜面７１Ｃよりも押棒５１の軸線に対する傾斜角度が大きい値で設定されている。
【００２９】
扉本体２１における庫内側の面２１Ｂにおいて係止解除装置５０の上方で結露が生じ、その結露水が凹部７１内に侵入した場合、結露水は、第１傾斜面７１Ｂを伝って流下し、第２傾斜面７１Ｃに向かう。ここで、第１傾斜面７１Ｂは、第２傾斜面７１Ｃよりも押棒５１の軸線に対する傾斜角度が大きい値で設定されている。このため、第１傾斜面７１Ｂを伝う結露水は、図４の矢線Ａ１に示すように、第１傾斜面７１Ｂにおける庫外側の端部から下方に落下する。これにより、結露水が第２傾斜面７１Ｃ（ひいては接触面７２Ａ）に到達する事態を抑制することができる。
【００３０】
また、庫内側筒部７０の外周面に設けられ、扉本体２１の庫内側の面２１Ｂに対して庫内側から当接するフランジ部８０を備え、庫内側筒部７０の外周面において、フランジ部８０よりも庫内側の箇所には、庫内側筒部７０の周方向の全周に亘って延びる溝部７３が形成されている。
【００３１】
係止解除装置５０の上方で結露が生じ、その結露水がフランジ部８０の表面を伝って流下した場合、結露水は溝部７３に侵入する。溝部７３は庫内側筒部７０の周方向の全周に亘って延びることから、溝部７３に侵入した結露水は、図２の矢線Ａ２に示すように、庫内側筒部７０の上面から下面に向かって流れ、下面に達した時点で落下する。このような溝部７３を設けることで、結露水が凹部７１の開口に向かう事態を抑制でき、結露水が凹部７１内に侵入する事態や押棒５１に落下する事態を抑制することができる。
【００３２】
仮に、図６の比較例に示すように、押棒１５１と筒部１７０の接触面１７２Ａが扉本体２１における庫内側の面２１Ｂよりも庫内側にある場合には、結露水が接触面１７２Ａに到達し易くなる。このため、防水カバー１２５によって押棒１５１を覆う必要が生じる。また、図６の構成では、庫内側の面２１Ｂとフランジ部１８０の間に結露水が侵入すると、接触面１７２Ａに到達する事態が懸念される。これに対して、本実施形態では、結露水が凹部７１内に侵入する事態や押棒５１に落下する事態を抑制できるから、防水カバーを備える必要性が低く、庫内側の面２１Ｂとフランジ部８０の間に結露水が侵入した場合であっても、接触面７２Ａに到達し難い。また、図４に示すように、庫外側筒部６１と凹部７５の内面の間にはＯリング７５Ａが介在されているから、結露水が凹部７５から侵入した際に接触面７２Ａに到達する事態を抑制することができる。
【００３３】
また、本実施形態では、庫内側筒部７０とフランジ部８０は互いに一体的に設けられると共に合成樹脂製とされ、溝部７３は、断面視において、互いに正接する第１円弧７３Ａ及び第２円弧７３Ｂによって構成されるＵ字状をなし、第１円弧７３Ａは、庫内側筒部７０の径方向外側に開口され、溝部７３の底部を構成するものとされ、第２円弧７３Ｂは、庫内側筒部７０の径方向内側に開口され、第１円弧７３Ａにおける庫内側の端部に繋がることで、溝部７３における庫内側の内面を構成する突起部７４を構成するものとされ、溝部７３の底部を基準とした突起部７４の突出高さは、０．５ｍｍ以上１．０ｍｍ以下で設定されている。
【００３４】
庫内側筒部７０及びフランジ部８０は、例えば、成形型を用いた射出成形によって成形される。庫内側筒部７０及びフランジ部８０を成形型によって成形する際には、図５に示すように、成形型７６の型抜き方向を庫内外方向（図５の左右方向）に沿うように設計することが好ましい。これにより、凹部７１の開口方向及び保持孔７２（図４参照）の貫通方向と成形型７６の型抜き方向とを一致させることができる。しかしながら、型抜き方向を庫内外方向にした場合、溝部７３を構成する突起部７４はアンダーカット部となる。
【００３５】
そこで、本実施形態では、溝部７３を互いに正接する第１円弧７３Ａ及び第２円弧７３Ｂによって構成すると共に、溝部７３の底部を基準とした突起部７４の突出高さを１．０ｍｍ以下とした。これにより、突起部７４のアンダーカット面（溝部７３における庫内側の内面）を成形型７６の型抜き方向により近づけることができ、突起部７４（及び突起部７４周辺の壁部）を弾性的に撓み変形させて成形型７６（図５参照）の型抜きを行うことが可能となる。また、突起部７４の突出高さを０．５ｍｍ以上とすれば、結露水が突起部７４を乗り越えて凹部７１の開口に向かう事態をより確実に抑制することができる。また、突起部７４の表面が円弧状であることから、溝部７３に埃やごみなどが溜まり難い。
【００３６】
仮に、図７の比較例に示すように溝部１６３を構成する突起部１６４が成形型１２０の型抜き方向（図７では左側）に対して直交するアンダーカット面１６４Ａを有している場合には、溝部１６３を成形するためにスライド型１２１を用いる必要がある。これに対して本実施形態では、スライド型を用いることなく、溝部７３を成形することができるから、製造に係るコストを低減することができる。また、図５に示すように、本実施形態では、凹部７１の内面が第１傾斜面７１Ｂを有していることから、凹部７１が第２傾斜面７１Ｃのみで構成されている場合と比べて、突起部７４の形成箇所が薄肉になっている。これにより、突起部７４を弾性変形させ易くすることができ、型抜きをより確実に行うことができる。
【００３７】
＜他の実施形態＞
本発明は上記記述及び図面によって説明した実施形態に限定されるものではなく、例えば次のような実施形態も本発明の技術的範囲に含まれる。
（１）上記実施形態では、冷却貯蔵庫として、プレハブ式冷蔵庫１０を例示したが、これに限定されない。上記実施形態の係止解除装置５０は、庫内側から解錠を行うことが必要な冷却貯蔵庫について適用することが可能である。
（２）係止解除部の構成は上記実施形態で例示したものに限定されず、押棒５１によって庫内側から押圧されることで、ラッチ受け１２に対するラッチ３４の係止を解除する構成であればよい。
【符号の説明】
【００３８】
１０…プレハブ式冷蔵庫（冷却貯蔵庫）、１１…筐体、１１Ａ…貯蔵室、１２…ラッチ受け、２０…扉、２１…扉本体、２１Ａ…貫通孔、２１Ｂ…扉本体における庫内側の面、３３…係止解除部、３４…ラッチ、５０…係止解除装置、５１…押棒、７０…庫内側筒部（筒部）、７１…凹部、７１Ａ…凹部の底部、７１Ｂ…第１傾斜面、７１Ｃ…第２傾斜面、７２…保持孔、７２Ａ…接触面、７３…溝部、７３Ａ…第１円弧、７３Ｂ…第２円弧（突起部を構成）、７４…突起部、８０…フランジ部
【図１】
2018066495.tif 000003
【図２】
2018066495.tif 000004
【図３】
2018066495.tif 000005
【図４】
2018066495.tif 000006
【図５】
2018066495.tif 000007
【図６】
2018066495.tif 000008
【図７】
2018066495.tif 000009